(57)【要約】【課題】パルセータの形状に創意工夫を施すことにより衣類の攪拌性能を一層高めるようにした洗濯機を提供する。【解決手段】本実施形態に係る洗濯機は、洗濯機本体の上部を構成するトップカバーに、給水口を上面に有する上面型給水ユニットを取り付け可能に構成された洗濯機であって、前記トップカバーに設けられる給水ユニット収容部と、前記給水ユニット収容部に収容されるものであって、給水口を背面に有する背面型給水ユニットと、前記給水ユニット収容部に収容される前記背面型給水ユニットの背面以外の面を覆う非背面カバーと、前記給水ユニット収容部に収容される前記背面型給水ユニットの背面を覆う背面カバーと、を備え、給水ユニット収容部と非背面カバーが連結可能であり、給水ユニット収容部と背面カバーが連結可能であり、非背面カバーと背面カバーが連結可能である。【選択図】図１
2019098061.tif 000002
【特許請求の範囲】
【請求項１】
洗濯機本体の上部を構成するトップカバーに、給水口を上面に有する上面型給水ユニットを取り付け可能に構成された洗濯機において、
前記トップカバーに設けられる給水ユニット収容部と、
前記給水ユニット収容部に収容されるものであって、給水口を背面に有する背面型給水ユニットと、
前記給水ユニット収容部に収容される前記背面型給水ユニットの背面以外の面を覆う非背面カバーと、
前記給水ユニット収容部に収容される前記背面型給水ユニットの背面を覆う背面カバーと、
を備え、
前記給水ユニット収容部と前記非背面カバーが連結可能であり、
前記給水ユニット収容部と前記背面カバーが連結可能であり、
前記非背面カバーと前記背面カバーが連結可能である洗濯機。
【請求項２】
前記背面カバーは、前記背面型給水ユニットに連結されている請求項１に記載の洗濯機。
【請求項３】
前記背面カバーは、多数の壁部により構成される多重壁部を備える請求項１または２に記載の洗濯機。
【請求項４】
前記背面カバーは、少なくとも前記背面型給水ユニットの給水口の周囲に前記多重壁部を備える請求項３に記載の洗濯機。
【請求項５】
前記非背面カバーは、多数の壁部により構成される多重壁部を備える請求項１から４の何れか１項に記載の洗濯機。
【請求項６】
前記非背面カバーは、少なくとも前記背面型給水ユニットの給水口の周囲に前記多重壁部を備える請求項５に記載の洗濯機。
【請求項７】
前記背面型給水ユニットの給水口の周面に凸部が設けられており、
前記多重壁部を構成する前記壁部により前記凸部が挟まれている請求項３から６の何れか１項に記載の洗濯機。
【請求項８】
前記背面型給水ユニットは、高さ寸法が最も短くなる状態で前記給水ユニット収容部に収容されている請求項１から７の何れか１項に記載の洗濯機。
【請求項９】
前記背面型給水ユニットの給水口を挿通可能な複数の孔部と、
前記孔部に着脱可能に取り付けられる蓋と、
を備える請求項１から８の何れか１項に記載の洗濯機。
【発明の詳細な説明】
【技術分野】
【０００１】
本発明の実施形態は、洗濯機に関する。
【背景技術】
【０００２】
洗濯機は、洗濯機本体の上部を構成するトップカバーに、水槽内に水を供給するための給水ユニットを備えている。ここで、例えば日本国において使用する洗濯機においては、給水ユニットは、一般的に、その上面に給水口を有する構成となっている。
【先行技術文献】
【特許文献】
【０００３】
【特許文献１】特開２０１７−１８５０８８号公報
【発明の概要】
【発明が解決しようとする課題】
【０００４】
ところで、日本国以外の国、例えば、中華人民共和国やタイ王国においては、給水ユニットは、一般的に、その背面に給水口を有する構成となっている。そのため、日本国において使用する洗濯機のトップカバー、つまり、給水口を上面に有する給水ユニットを想定して設計されたトップカバーを、日本国以外の国において使用する洗濯機のトップカバーとして用いようとすると、給水口の位置の相違から、給水ユニットの特に給水口が存在する背面を覆うことができず露出してしまう。
【０００５】
そこで、給水口を上面に有する給水ユニットを想定して設計されたトップカバーに、給水口を背面に有する給水ユニットを取り付ける場合であっても、その給水口が存在する給水ユニットの背面を覆うことができるようにした洗濯機を提供する。
【課題を解決するための手段】
【０００６】
本実施形態に係る洗濯機は、洗濯機本体の上部を構成するトップカバーに、給水口を上面に有する上面型給水ユニットを取り付け可能に構成された洗濯機であって、給水ユニット収容部、背面型給水ユニット、非背面カバー、背面カバーを備える。給水ユニット収容部は、前記トップカバーに設けられる。背面型給水ユニットは、前記給水ユニット収容部に収容されるものであって、給水口を背面に有する。非背面カバーは、前記給水ユニット収容部に収容される前記背面型給水ユニットの背面以外の面を覆う。背面カバーは、前記給水ユニット収容部に収容される前記背面型給水ユニットの背面を覆う。そして、前記給水ユニット収容部と前記非背面カバーが連結可能であり、前記給水ユニット収容部と前記背面カバーが連結可能であり、前記非背面カバーと前記背面カバーが連結可能である。
【図面の簡単な説明】
【０００７】
【図１】本実施形態に係る洗濯機の全体の構成例を概略的に示すものであり、背面型給水ユニットが取り付けられた状態を示す側面図
【図２】本実施形態に係る洗濯機の上部の背面の構成例を概略的に示す背面図
【図３】本実施形態に係る洗濯機の全体の構成例を概略的に示すものであり、上面型給水ユニットが取り付けられた状態を示す側面図
【図４】本実施形態に係る洗濯機の製造方法の一例を概略的に示す図（その１）
【図５】本実施形態に係る給水ユニットアセンブリが給水ユニット収容部内に収容された状態を概略的に示す斜視図
【図６】本実施形態に係る洗濯機の製造方法の一例を概略的に示す図（その２）
【図７】本実施形態に係る洗濯機の製造方法の一例を概略的に示す図（その３）
【図８】本実施形態に係る背面カバーの構成例を概略的に示す斜視図
【図９】本実施形態に係る背面カバーに対し背面型給水ユニットを連結させる構成例を概略的に示す図
【図１０】本実施形態に係る上面カバーおよび背面カバーの給水口周辺部分の構成例を概略的に示す断面図
【図１１】本実施形態に係る背面カバーの構成について複数の変形例を概略的に示す図
【図１２】本実施形態に係る背面型給水ユニットと背面カバーとを連結するための構成について複数の変形例を概略的に示す図
【図１３】本実施形態に係る凸部の構成について複数の変形例を概略的に示す図
【発明を実施するための形態】
【０００８】
以下、洗濯機に係る一実施形態について図面を参照しながら説明する。図１に例示する洗濯機１０は、回転槽の回転軸が縦方向である、いわゆる縦軸型の洗濯機であり、その外郭を構成する洗濯機本体１１の上部をトップカバー１２により構成している。詳しい図示は省略するが、洗濯機本体１１の内部には、上面が開口した有底円筒状の水槽、この水槽内において回転可能に設けられている有底円筒状の回転槽、この回転槽の底部において回転可能に設けられているパルセータ、回転槽およびパルセータを回転させるモータ、水槽内に水を供給する給水機構部、水槽内の水を機外に排出する排水機構部、などが設けられている。
【０００９】
トップカバー１２は、そのほぼ中央部に、洗濯物を出し入れするための図示しない洗濯物出入口を備えている。また、トップカバー１２は、この洗濯物出入口を開閉する図示しない蓋を備えている。また、トップカバー１２は、その一部、この場合、少なくとも洗濯物出入口よりも後側の部分に給水ユニット収容部２０を備えている。給水ユニット収容部２０は、トップカバー１２の後部側において洗濯機本体１１の左右方向に延びる長尺な空間となっている。給水ユニット収容部２０の上部には、トップカバー１２とは別部品である上面カバー２１が着脱可能に取り付けられるようになっている。また、給水ユニット収容部２０の後部には、トップカバー１２および上面カバー２１とは別部品である背面カバー２２が着脱可能に取り付けられるようになっている。
【００１０】
本実施形態に係る洗濯機１０は、給水ユニットの給水口を洗濯機本体１１の上面ではなく背面に有する構成を想定している。そのため、本実施形態では、給水ユニット収容部２０に、背面型給水ユニット３０が収容される。背面型給水ユニット３０は、その背面に給水口３１を有する構成である。
【００１１】
上面カバー２１は、給水ユニット収容部２０に背面型給水ユニット３０が収容された状態において、給水ユニット収容部２０の上部に取り付けられて、背面型給水ユニット３０の背面以外の面、この場合、上面を覆う。上面カバー２１は、背面型給水ユニットの背面以外の面を覆う非背面カバーの一例である。一方、背面カバー２２は、給水ユニット収容部２０に背面型給水ユニット３０が収容された状態において、給水ユニット収容部２０の後部に取り付けられて、背面型給水ユニット３０の背面、つまり、給水口３１が存在する面を覆う。このように、上面カバー２１は、給水ユニット収容部２０に連結されて固定される。背面カバー２２は、給水ユニット収容部２０に連結されて固定される。また、上面カバー２１および背面カバー２２は、相互に連結されて固定される。即ち、本実施形態に係る洗濯機１０は、上面カバー２１および背面カバー２２を、給水ユニット収容部２０を備えるトップカバー１２とは別部品として有する構成であり、これら上面カバー２１および背面カバー２２を別部品として給水ユニット収容部２０に組み付ける構成となっている。
【００１２】
図２に例示するように、上面カバー２１の背面の下端には、半円形状に切り欠かれた切り欠き部２１ａが設けられている。一方、背面カバー２２の上端には、半円形に切り欠かれた切り欠き部２２ａが設けられている。給水ユニット収容部２０の上部に上面カバー２１が取り付けられ、且つ、後部に背面カバー２２が取り付けられた状態では、上面カバー２１の切り欠き部２１ａと背面カバー２２の切り欠き部２２ａとが相互に対向し、これにより、円形状に開口する孔部４０が形成される。そして、給水ユニット収容部２０内に収容されている背面型給水ユニット３０の給水口３１は、この孔部４０に挿通されて、洗濯機本体１１の背面から後方に突出する。
【００１３】
なお、本実施形態に係る洗濯機１０は、複数、この場合、２つの孔部４０を備えている。そのため、背面型給水ユニット３０が複数、例えば、温水用および冷水用の２つの給水口３１を備える構成であっても、それら２つの給水口３１をそれぞれ孔部４０に挿通できる構成となっている。また、背面型給水ユニット３０が１つの給水口３１を備える構成である場合には、２つの孔部４０のうち一方に給水口３１を挿通させ、他方の孔部４０に蓋４１を取り付けて塞ぐことができる構成となっている。
【００１４】
図３に例示するように、上述したトップカバー１２は、給水ユニット収容部２０に上面型給水ユニット１３０も取り付け可能に構成されている。上面型給水ユニット１３０は、その上面に給水口１３１を有する構成である。即ち、洗濯機１０は、給水ユニットの給水口を洗濯機本体１１の背面ではなく上面に有する構成とすることも可能である。上面型給水ユニット１３０をトップカバー１２に取り付ける場合には、上述した上面カバー２１に代えて、上部カバー１２１が用いられる。この上部カバー１２１は、給水ユニット収容部２０に上面型給水ユニット１３０が収容された状態において、給水ユニット収容部２０の上部に取り付けられて、上面型給水ユニット１３０の上面、つまり、給水口１３１が存在する面を覆う。なお、上部カバー１２１には、上面型給水ユニット１３０の給水口１３１が挿通される孔部１４０が設けられている。上部カバー１２１は、孔部１４０が設けられていることを除き、基本的には、上述した上部カバー２１と同じ構成となっている。また、給水ユニット収容部２０に上面型給水ユニット１３０を収容する場合には、上面型給水ユニット１３０の給水口１３１が存在する面が上部カバー１２１により覆われるため、背面カバー２２は不要である。
【００１５】
即ち、トップカバー１２は、背面型給水ユニット３０も取り付けることが可能であり、また、上面型給水ユニット１３０も取り付けることができる共通部品として構成されている。また、上面カバー２１および背面カバー２２は、背面型給水ユニット３０をトップカバー１２に取り付ける場合に用いられる専用部品となっている。また、上部カバー１２１は、上面型給水ユニット１３０をトップカバー１２に取り付ける場合に用いられる専用部品となっている。
【００１６】
次に、トップカバー１２に背面型給水ユニット３０を取り付ける場合の製造方法の例について説明する。
【００１７】
（第１製造方法）
図４に例示する製造方法によれば、まず、ステップＡ１において、背面カバー２２を背面型給水ユニット３０の背面、つまり、給水口３１が存在する面に連結し、背面型給水ユニット３０を背面カバー２２に固定する。即ち、背面カバー２２と背面型給水ユニット３０とを連結することにより給水ユニットアセンブリ５０を形成する。そして、ステップＡ２において、この給水ユニットアセンブリ５０を給水ユニット収容部２０に収容する。そして、ステップＡ３において、給水ユニット収容部２０の上部に上面カバー２１を取り付けて、給水ユニット収容部２０に収容された背面型給水ユニット３０の上面を上面カバー２１により覆う。これにより、図１に例示する洗濯機１０、つまり、給水ユニット収容部２０内に背面型給水ユニット３０が収容された洗濯機１０が製造される。
【００１８】
図５に例示するように、背面型給水ユニット３０を背面カバー２２に固定した給水ユニットアセンブリ５０によれば、この給水ユニットアセンブリ５０を給水ユニット収容部２０内に収容した場合に、背面カバー２２を背面型給水ユニット３０のスタンドとして機能させることができる。そのため、背面型給水ユニット３０を単独で給水ユニット収容部２０に収容する場合に比べ、背面型給水ユニット３０を水平な状態で安定的に配置することができる。
【００１９】
本実施形態では、背面型給水ユニット３０は、その本体部の高さ寸法、幅寸法、奥行き寸法が相互に異なる直方体状をなしており、高さ寸法が最も短くなる状態で給水ユニット収容部２０内に収容される。これにより、背面型給水ユニット３０を収容する給水ユニット収容部２０の特に高さ方向の寸法を抑えることができ、ひいては、洗濯機１０全体の高さ方向の寸法を抑えることができる。なお、背面型給水ユニット３０の高さ方向は洗濯機本体１１の上下方向に対応し、幅方向は洗濯機本体１１の左右方向に対応し、奥行き方向は洗濯機本体１１の前後方向に対応する。
【００２０】
（第２製造方法）
図６に例示する製造方法によれば、まず、ステップＢ１において、給水ユニット収容部２０の背面側に背面カバー２２を取り付ける。そして、ステップＢ２において、給水ユニット収容部２０に背面型給水ユニット３０を収容する。そして、ステップＢ３において、給水ユニット収容部２０の上部に上面カバー２１を取り付けて、給水ユニット収容部２０に収容された背面型給水ユニット３０の上面を上面カバー２１により覆う。これにより、図１に例示する洗濯機１０、つまり、給水ユニット収容部２０内に背面型給水ユニット３０が収容された洗濯機１０が製造される。
【００２１】
（第３製造方法）
図７に例示する製造方法によれば、まず、ステップＣ１において、背面型給水ユニット３０の背面、つまり、給水口３１が存在する面に背面カバー２２を取り付けるとともに、背面型給水ユニット３０の上面、つまり、給水口３１が存在しない面に上面カバー２１を取り付ける。即ち、上面カバー２１および背面カバー２２を背面型給水ユニット３０に連結することにより給水ユニットアセンブリ６０を形成する。なお、給水ユニットアセンブリ６０を形成する際において、上面カバー２１を背面カバー２２よりも先に背面型給水ユニット３０に取り付けてもよいし、背面カバー２２を上面カバー２１よりも先に背面型給水ユニット３０に取り付けてもよい。そして、ステップＣ２において、この給水ユニットアセンブリ６０を給水ユニット収容部２０に収容する。これにより、図１に例示する洗濯機１０、つまり、給水ユニット収容部２０内に背面型給水ユニット３０が収容された洗濯機１０が製造される。
【００２２】
次に、背面カバー２２の構成例について説明する。図８に例示するように、背面カバー２２は、背面カバー本体部２３および複数、この場合、２つの腕部２４を備えている。背面カバー本体部２３は、洗濯機本体１１の左右方向に延びる長尺な矩形板状をなしている。腕部２４は、背面カバー本体部２３の左右の両端部からそれぞれ直線状に延びている。背面型給水ユニット３０は、これら２つの腕部２４の間に挟まれた状態で背面カバー２２に連結される。
【００２３】
ここで、図９に例示するように、背面型給水ユニット３０の左右の両側面には突起部３２が設けられている。一方、腕部２４には、当該腕部２４を貫通する孔部２５が設けられている。背面型給水ユニット３０は、その突起部３２が腕部２４の孔部２５に嵌め込まれることにより、背面カバー２２に連結され固定される。このとき、背面カバー２２に対し背面型給水ユニット３０を例えばねじなどにより固定する必要は無い。このように、腕部２４は、背面型給水ユニット３０を挟み、且つ、孔部２５に突起部３２を嵌め込ませることにより、背面カバー２２に背面型給水ユニット３０を固定する。即ち、腕部２４は、背面カバー２２において背面型給水ユニット３０が固定される固定部として機能する。
【００２４】
次に、上面カバー２１および背面カバー２２の構造について説明する。図１０に例示するように、上面カバー２１は、その背面に、多数、この場合、２枚の壁部６１ａにより構成される多重壁部６１を備えている。また、背面カバー２２は、背面カバー本体部２３に、多数、この場合、２枚の壁部６２ａにより構成される多重壁部６２を備えている。背面型給水ユニット３０の給水口３１は、上面カバー２１の多重壁部６１と背面カバー２２の多重壁部６２との間に挟まれた状態で固定される。
【００２５】
このとき、背面型給水ユニット３０の給水口３１の周面に設けられている凸部７０は、多重壁部６１を構成する壁部６１ａの間、および、多重壁部６２を構成する壁部６２ａの間に挟まれた状態となる。なお、本実施形態では、凸部７０は、多重壁部６１の内側の壁部６１ａおよび多重壁部６２の内側の壁部６２ａに当接し、多重壁部６１の外側の壁部６１ａおよび多重壁部６２の外側の壁部６２ａから離間した状態となっている。この構成によれば、背面型給水ユニット３０の給水口３１の周囲から水Ｗが浸入したとしても、その水Ｗを多重壁部６１の壁部６１ａの間、および、多重壁部６２の壁部６２ａの間に留めることができる。そのため、背面型給水ユニット３０の給水口３１の周囲から浸入する水Ｗが、多重壁部６１，６２よりも内側、つまり、背面型給水ユニット３０の本体部分に到達してしまうことを回避することができる。
【００２６】
本実施形態では、多重壁部６１は、上面カバー２１の背面全体に設けられている。また、多重壁部６２は、背面カバー２２の背面カバー本体部２３の全体に設けられている。しかし、多重壁部６１，６２は、少なくとも背面型給水ユニット３０の給水口３１の周囲において水の浸入を防止できる程度に十分な領域に設けられていればよく、例えば、背面型給水ユニット３０の給水口３１が挿通される孔部４０の周辺部分のみに設ける構成としてもよい。
【００２７】
本実施形態に係る洗濯機１０によれば、給水口３１を背面に有する背面型給水ユニット３０を給水ユニット収容部２０に収容する場合に、給水ユニット収容部２０に収容される背面型給水ユニット３０の背面、つまり、給水口３１を有する面を覆う背面カバー２２を備えている。この構成によれば、給水口１３１を上面に有する上面型給水ユニット１３０を想定して設計されたトップカバー１２の給水ユニット収容部２０に、給水口３１を背面に有する背面型給水ユニット３０を取り付ける場合であっても、その給水口３１が存在する背面型給水ユニット３０の背面を外部に露出させることなく覆うことができる。
【００２８】
また、本実施形態によれば、背面カバー２２を背面型給水ユニット３０に連結させる構成となっている。この構成によれば、背面カバー２２を背面型給水ユニット３０のスタンドとして機能させることができ、給水ユニット収容部２０内に背面型給水ユニット３０を水平な状態で安定的に取り付けることができる。また、洗濯機１０を製造する際には、背面カバー２２および背面型給水ユニット３０を、これらが一体化された給水ユニットアセンブリ５０として取り扱うことができ、給水ユニット収容部２０に背面型給水ユニット３０を取り付ける作業を容易に行うことができる。
【００２９】
また、本実施形態によれば、背面カバー２２は、背面型給水ユニット３０が固定される腕部２４を備える。この構成によれば、背面カバー２２を背面型給水ユニット３０に強固に連結させることができ、背面型給水ユニット３０を一層安定した状態で給水ユニット収容部２０内に収容することができる。
【００３０】
また、本実施形態によれば、背面カバー２２は、多数の壁部６２ａにより構成される多重壁部６２を備えている。この構成よれば、外部から浸入する水が背面型給水ユニット３０に到達してしまうことを回避することができ、背面型給水ユニット３０の防水性を向上することができる。
【００３１】
また、本実施形態によれば、背面カバー２２は、その本体部を構成する背面カバー本体部２３の全体に多重壁部６２を備えている。この構成によれば、外部からの水の浸入を広範囲にわたって防止することができる。なお、外部からの水の浸入は、隙間が形成されやすい背面型給水ユニット３０の給水口３１の周囲において最も起こりやすい。そのため、多重壁部６２は、少なくとも背面型給水ユニット３０の給水口３１の周囲に設けることにより、十分な防水性能を発揮することができる。
【００３２】
また、本実施形態によれば、背面型給水ユニット３０の給水口３１の周面に設けられる凸部７０は、多重壁部６２を構成する複数の壁部６２ａにより挟まれるようになっている。この構成によれば、凸部７０によっても水の浸入を防止することができ、背面型給水ユニット３０の防水性を一層向上することができる。
【００３３】
また、本実施形態によれば、背面型給水ユニット３０は、その高さ寸法が最も短くなる状態で給水ユニット収容部２０内に収容されている。この構成によれば、背面型給水ユニット３０を収容する給水ユニット収容部２０、ひいては、洗濯機１０全体の高さ方向の寸法を抑えることができ、全体のコンパクト化を図ることができる。
【００３４】
また、本実施形態によれば、背面型給水ユニット３０の給水口３１を挿通可能な複数の孔部４０を備えるとともに、その孔部４０に蓋４１を着脱可能に取り付けられるようにした。この構成によれば、背面型給水ユニット３０が複数の給水口３１を備える構成であっても、その背面型給水ユニット３０を給水ユニット収容部２０に無理なく収容することができる。また、背面型給水ユニット３０が孔部４０の数よりも少ない給水口３１を備える構成である場合には、給水口３１が挿通されない孔部４０を蓋４１により塞ぐことができる。そのため、孔部４０が開いたまま防水性能が損なわれた状態となることを回避できるとともに、孔部４０を蓋４１により塞ぐことで、洗濯機１０の外観、特に背面の外観が損なわれてしまうことを回避することができる。
【００３５】
なお、本実施形態は、上述した一実施形態に限られるものではなく、例えば、次のように変形または拡張してもよい。例えば背面カバー２２の構成は、適宜変更して実施することができる。即ち、図１１のパターンＡに例示するように、背面カバー２２は、背面カバー本体部２３の上下の両端部にそれぞれ直線状に延びる腕部１２４を固定部の一例として備える構成としてもよい。なお、このパターンＡに例示する腕部１２４は、上述した腕部２４に比べ、水平方向に扁平な板状をなしている。このように、腕部の形状や大きさなどは、適宜変更して実施することができる。
【００３６】
また、図１１のパターンＢに例示するように、背面カバー２２は、背面カバー本体部２３の上下の両端部にそれぞれ板状に延びる板状部２２４を固定部の一例として備える構成としてもよい。また、図１１のパターンＣに例示するように、背面カバー２２は、板状に延びる板状部３２４ａ，３２４ｂの寸法、この場合、左右方向の寸法を相互に異ならせる構成としてもよい。また、図１１のパターンＤに例示するように、背面カバー２２は、２本以上の複数、例えば、４つの腕部４２４を備える構成としてもよい。このパターンＤの構成例は、背面カバー本体部２３の左右の両端部にそれぞれ複数、この場合、２つの腕部４２４を備える構成例である。
【００３７】
また、図１１のパターンＥに例示するように、背面カバー２２は、背面カバー本体部２３の左右の両端部および上下の両端部にそれぞれ腕部５２２を備える構成としてもよい。また、図１１のパターンＦに例示するように、背面カバー２２は、ガイドレール６２２を固定部の一例として備える構成としてもよい。固定部の一例としてガイドレール６２２を備える構成例においても、ガイドレール６２２の数は２つに限られるものではなく、例えば４つなど、適宜変更して実施することができる。なお、図１１に例示した複数の構成例は、あくまでも一例であり、背面カバー２２の構成は適宜変更して実施することができる。
【００３８】
また、背面型給水ユニット３０と背面カバー２２とを連結するための構成について変形を施すことも可能である。即ち、図１２のパターンＡに例示するように、背面型給水ユニット３０に複数の突起部３２を設けるとともに、腕部２４に複数の孔部２５を設ける構成としてもよい。これにより、腕部２４による背面型給水ユニット３０の固定を一層強固なものとすることができる。また、図１２のパターンＢに例示するように、背面型給水ユニット３０に突起部３２および孔部３３を設けるとともに、腕部２４に孔部２５および突起部２６を設け、背面型給水ユニット３０の突起部３２を腕部２４の孔部２５に差し込むとともに、腕部２４の突起部２６を背面型給水ユニット３０の孔部３３に差し込む構成としてもよい。この構成によっても、腕部２４による背面型給水ユニット３０の固定を一層強固なものとすることができる。
【００３９】
また。図１２のパターンＣに例示するように、背面型給水ユニット３０に突条部３４を設けるとともに、腕部２４にスライドレール２７を設け、背面型給水ユニット３０の突条部３４を腕部２４のスライドレール２７にスライドさせる構成としてもよい。この構成によっても、腕部２４による背面型給水ユニット３０の固定を一層強固なものとすることができる。なお、図１２に例示した複数の構成例は、あくまでも一例であり、背面型給水ユニット３０を背面カバー２２に連結するための構成は適宜変更して実施することができる。
【００４０】
また、背面型給水ユニット３０の給水口３１の周面に設けられる凸部７０は、少なくとも給水口３１の周面の一部に設けられていればよく、従って、その形状も適宜変更して実施することができる。即ち、図１３のパターンＡに例示するように、背面型給水ユニット３０の給水口３１は、その全周に設けられる円環状の凸部７０Ａを備える構成としてもよい。また、図１３のパターンＢに例示するように、背面型給水ユニット３０の給水口３１は、その周面の上方および下方に設けられる板状の凸部７０Ｂを備える構成としてもよい。
【００４１】
また、図１３のパターンＣに例示するように、背面型給水ユニット３０の給水口３１は、上述した凸部７０Ｂの一部、この場合、ほぼ中央部を切り欠いた形状である凸部７０Ｃを備える構成としてもよい。また、図１３のパターンＤに例示するように、背面型給水ユニット３０の給水口３１は、その周面の上方および下方から突出する凸部７０Ｄを備える構成としてもよい。なお、図１３に例示した複数の構成例は、あくまでも一例であり、凸部７０の数、大きさ、形状、位置などは適宜変更して実施することができる。
【００４２】
また、背面型給水ユニット３０の給水口３１が挿通される孔部４０の数は、２つに限られるものではなく、例えば、想定される背面型給水ユニット３０の給水口３１の数に応じて適宜変更して実施することができる。また、多重構造６１，６２は、２枚の壁部６１ａ，６２ａからなる二重構造に限られるものではなく、例えば、３枚以上の複数の壁部からなる多重構造としてもよい。また、非背面カバーは、背面型給水ユニット３０の背面、つまり、給水口３１を有する面以外の面を覆うカバーであればよく、従って、背面型給水ユニット３０の上面を覆う上面カバー２１に限らず、例えば、側面を覆う側面カバー、前面を覆う前面カバー、下面を覆う下面カバーなどであってもよい。また、本実施形態は、回転槽の回転軸が水平または後方へ向かって下降傾斜する横軸型の、いわゆるドラム式の洗濯機にも適用することができる。
【００４３】
本実施形態係る洗濯機によれば、給水ユニット収容部に収容される背面型給水ユニットの背面、つまり、給水口を有する面を覆う背面カバーを他のカバーとは別部品として備えている。この構成によれば、給水口を上面に有する給水ユニットを想定して設計されたトップカバーに、給水口を背面に有する給水ユニットを取り付ける場合であっても、その給水口が存在する給水ユニットの背面を覆うことができる。
【００４４】
なお、本実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。本実施形態およびその変形は、発明の範囲および要旨に含まれるとともに、特許請求の範囲に記載された発明とその均等の範囲に含まれる。
【符号の説明】
【００４５】
図面中、１０は洗濯機、１１は洗濯機本体、１２はトップカバー、２０は給水ユニット収容部、２１は上面カバー（非背面カバー）、２２は背面カバー、３０は背面型給水ユニット、３１は給水口、４０は孔部、４１は蓋、６１，６２多重壁部、７０は凸部、１３０は上面型給水ユニット、１３１給水口、を示す。
【図１】
2019098061.tif 000003
【図２】
2019098061.tif 000004
【図３】
2019098061.tif 000005
【図４】
2019098061.tif 000006
【図５】
2019098061.tif 000007
【図６】
2019098061.tif 000008
【図７】
2019098061.tif 000009
【図８】
2019098061.tif 000010
【図９】
2019098061.tif 000011
【図１０】
2019098061.tif 000012
【図１１】
2019098061.tif 000013
【図１２】
2019098061.tif 000014
【図１３】
2019098061.tif 000015